(57)【要約】外側締付部分（２０）と内側部分（３０）とを含み、ここに内側締付部分（３０）は、外側締付部分（２０）の軸方向の対応の内側開口（２６）に当接するように成された外側面（３４）を有する。さらに外側ネジ／ボルト部分（２０ｆ）と内側締付部分（３０ｆ）を含み、ここにこの内側締付部分（３０ｆ）は外側ネジ／ボルト部分の軸方向の対応の内側開口に当接するように成された外側面を有する。本発明は、外側締付部分（２０−２０ｆ）と内側部分（３０−３０ｆ）のそれぞれの内側面および外側面（２６，３４）が相互にユニットとして連結され、これらの部分（２０−２０ｆ、３０−３０ｆ）の一方の部分が他方の部分に対して一定限度以上のトルクモーメントを受けた時にこれらの部分が相互に離脱するように構成される。
2004501328.tif 000002
【特許請求の範囲】
【請求項１】
外側締付部分（２０）と内側部分（３０）とを含み、ここに前記内側部分（３０）の外側面（３４）は前記外側締付部分（２０）の対応の軸方向内側開口（２６）に当接するように成されたナット構造において、前記外側締付部分（２０）と前記内側部分（３０）のそれぞれの内側面および外側面（２６，３４）が相互に一体的に連結され、この際に一方の部分が他方の部分に対して一定限度以上のトルクモーメントを受ける時に相互に離脱されるように構成されていることを特徴とするナット構造。
【請求項２】
前記内側面と外側面（２６，３４）との間に例えば接着剤／硬化性物質または金属連結物質などの接触面形成連結手段（４０）が配置され、前記連結手段（４０）は前記外側締付部分に対してトルクモーメントを加えることによって分解または破断されて外側部分（２０）が内側部分（３０）から離脱されるように成されたことを特徴とする請求項１に記載のナット構造（１０）。
【請求項３】
前記内側部分（３０）がその一端または両端にフランジまたはカラーなどの突出ストッパ部材（３６ａ，３６ｂ）を含み、これらの突出部材が外側部分（２０）の一端または両端において対応の内側円錐形断面（２４ａ，２４ｂ）に当接するように成されたことを特徴とする請求項２に記載のナット構造（１０）。
【請求項４】
内側部分（３０ａ）の外側面（３４ａ）は軸方向において円錐形であり、また外側部分（２０ａ）の内側面（２６ａ）は軸方向において対応の円錐形を成し内側部分（３０ａ）を受けることを特徴とする請求項１に記載のナット構造（１０）。
【請求項５】
内側部分（３０ｂ）は第１円錐形断面（４４ａ）、第２中間断面（４４ｂ）および第３ネジ山断面（４４ｃ）を有する外側面（３４ｂ）を含み、ここに前記ネジ山断面は軸方向において逆時計方向ネジ山を有し、また前記外側部分（２０ｂ）の内側面（２６ｂ）は内側部分（３０ｂ）を受けるために軸方向において対応の形状を有することを特徴とする請求項１に記載のナット構造（１０）。
【請求項６】
前記内側部分（３０ｃ）は第１平坦断面（５４ａ）、第２中間凹形平坦断面（５４ｂ）および第３ネジ山断面（５４ｃ）を備えた外側面（３４ｃ）を含み、ここに前記ネジ山断面は軸方向において逆時計方向ネジ山を有し、ここに前記外側部分（２４）の内側面（２６ｃ）は内側部分（３０ｃ）を受けるために軸方向において対応の形状を有する事を特徴とする請求項１に記載のナット構造（１０）。
【請求項７】
前記内側部分（３０ｄ）はその第１端部（５８）において外側面（３４ｄ）に複数のグルーブ（４６）を備えた円形断面を含み、ここに前記グルーブは外側部分（２０ｄ）の複数の対応のカム（４８）を受けるように構成され、またここに前記のカムは所定限度以上のトルクモーメントを加えた際に破断するように構成される事を特徴とする請求項１に記載のナット構造（１０）。
【請求項８】
前記内側部分（３０−３０ｄ）の他端（５９）は縁部断面を含み、この縁部が折り込まれることができる事を特徴とする前項１乃至７のいずれかに記載のナット構造（１０）。
【請求項９】
前記内側部分（３０−３０ｄ）の他端（５９）に対して円形ケーシング（５６）が配置され、ここに前記ケーシングは外側締め付け部分（２０−２０ｄ）を包囲する事を特徴とする請求項１乃至８のいずれかに記載のナット構造（１０）。
【請求項１０】
前記内側部分（３０−３０ｄ）は軸方向に内側ネジ山開口（３２）を備える事を特徴とする請求項１乃至９のいずれかに記載のナット構造（１０）。
【請求項１１】
前記内側部分（３０ｅ）はネジ（６０）またはボルトに連結され、固着され、またはその中に一体化される事を特徴とする請求項１乃至１０のいずれかに記載のナット構造化１０）。
【請求項１２】
外側ネジ／ボルト部分（２０ｆ）と内側締め付け部分（３０ｆ）とを含み、ここに前記内側締め付け部分は前記外側ネジ／ボルト部分（２０ｆ）の軸方向の対応の内側開口に当接するようになされた外側面を含むネジ／ボルト構造（１０ａ）において、前記外側ネジ／ボルト部分（３０ｆ）と前記内側締め付け部分（２０ｆ）の内側面と外側面はそれぞれ相互にユニットとして連結され、この際に前記部分（２０ｆ、３０ｆ）はその一方の部分が他方の部分に対して、所定限度以上のトルクモーメントを受けた時に相互に離脱されるように構成される事を特徴とするネジ／ボルト構造（１０ａ）。
【請求項１３】
前記内側面と外側面との間に、例えば接着剤／硬化性物質または金属接続などの接触面形成連結をなす手段（４０）が配置され、前記手段（４０）は外側部分（２０ｆ）から離脱されるよに前記内側締め付け部分（３０ｆ）に対してトルクモーメントが加えられた時に分解しまたは破断するように成された事を特徴とする請求項１２に記載のネジ／ボルト構造（１０ａ）。
【請求項１４】
前記内側締め付け部分（３０ｆ）はその第１末端に、フランジまたはカラーなどの突出ストッパー部材を備え、このストッパー部材が外側部分（２０ｆ）の対応の第１末端の対応の内側円錐形断面に当接するように成された事を特徴とする請求項１２に記載のネジ／ボルト構造（１０ａ）。
【請求項１５】
前記内側締め付け部分（３０ｆ）の外側面は軸方向に円錐形をなし、また前記外側部分（２０ｆ）の内側面は前記内側締め付け部分（３０ｆ）を受けるために軸方向において対応の円錐形状を有する事を特徴とする請求項１２に記載のネジ／ボルト構造（１０ａ）。
【請求項１６】
前記内側締め付け部分（３０ｆ）は、円錐形の第１断面、第２中間断面および第３ネジ山断面を備えた外側面を含み、ここに前記ネジ山断面は軸方向において逆時計方向ネジ山を有し、前記外側部分（２０ｆ）の内側面は内側締め付け部分（３０ｆ）を受けるために軸方向において対応の形状を備える事を特徴とする請求項１２に記載のネジ／ボルト構造（１０ａ）。
【請求項１７】
前記内側締め付け部分（３０ｆ）は第１断面、第２中間凹形断面および第３ネジ山断面を有し、ここに前記ネジ山断面は軸方向において逆時計方向ネジ山を有し、前記外側部分（２０ｆ）の内側面は内側締め付け部分（３０ｆ）を受けるために軸方向において対応の形状を備える事を特徴とする請求項１２に記載のネジ／ボルト構造（１０ａ）。
【請求項１８】
前記内側締め付け部分（３０ｆ）はその第１端部において外側面に複数のグルーブを有する断面を含み、ここに前記グルーブは前記外側部分の複数の対応のカムを受けるように構成され、またここに前記カムは所定限度以上のトルクモーメントを加えた時に破断するように構成される事を特徴とする請求項１２に記載のネジ／ボルト構造（１０ａ）。
【請求項１９】
内側締め付け部分（３０ｆ）の他端は下方に折り曲げられる縁断面を含む事を特徴とする請求項１２乃至１８のいずれかに記載のネジ／ボルト構造（１０ａ）。
【請求項２０】
内側締め付け部分（３０ｆ）の第１端部は後部を受けるように成されたグルーブまたは開口（６６）を含む事を特徴とする請求項１２乃至１９のいずれかに記載のネジ／ボルト構造（１０ａ）。
【発明の詳細な説明】
【０００１】
本発明は外側締付部分と内側部分とを含むナット構造において、前記内側部分が外側適合面を含み、この外側適合面が外側締付部分の対応の軸方向内側開口に当接するように成されたナット構造に関するものである。
【０００２】
また本発明は外側ネジ／ボルト部分と内側締め付け部分とを有するネジ／ボルト構造において、ここに前記内側締め付け部分は前記外側ネジ／ボルト部分の対応の軸方向内側開口に当接するように成された外側面を含むネジ／ボルト構造に関するものである。
【０００３】
先行技術において、ロッキングナットとして作用する種々のナット構造が公知である。例えばＤＥ　３２００８６３は、２部分からなり一方の部分が他方の部分の外側に同心的に配置されるように成されたナット構造を開示している。前記内側部分はネジの中にねじ込み固着されるネジ山を有する。前記内側部分は前記外側部分に対して固着されて、従来型のナットの形状を成す。またＥＰ　１３０３０４も２部分からなるナット構造を記載している。内側部分はネジに固着するために内側にネジ山を備え、また外側部分に固着するために外側にネジ山を備える。外側部分は六角形の外周面を有し、またその内側にネジ山を備える。これら２つの部分がネジ山によって相互に保持される。ＥＰ　３３２１９４は２部分から成る他のナット構造を記載し、この場合には内側部分と外側部分は相互にロッキングナットによって保持される。ＵＳ ４４６２．７３１は２部分から成るナット構造を記載し、この場合に両方の部分がそれぞれ２つに分割される。これらの外側部分はケーシングとして作用して、内側部分を相互に保持するので、これらの内側部分がナットとして作用する。内側ナットは外側ケーシングによってネジの回りに締付られ、このようにして摩擦作用によりその固着されるべきネジに当接して相互に保持される。
【０００４】
各種出版物において開示されている公知テクノロジーの問題点は、これらがすべて比較的複雑な解決法を示すことにある。このナット構造は歪み作用を受ける構造に対して施用され時にナットが緩まないように保証し、また通常の工具によって除去しまたはネジ戻すことができる。従ってこのナット構造は窃盗に対してなんらの防護作用を生じるものではない。例えば、浮き桟橋に係留されたボートの船尾にバリヤを取付ける際に、このバリヤが先行技術のテクノロジーに対応するナット構造によって固着されていれば窃盗犯がこのバリヤを緩めることはきわめて容易である。自動車のホイールの窃盗はますます一般的な問題になっており、その結果として保険会社に大きな負担が掛けられる。本発明の構造と相違し、前述のナット構造のいずれもこのような窃盗を防止するために使用することができない。
【０００５】
本発明の目的は、改良型の簡単なナット構造またはネジ／ボルト構造において、前述の問題点が避けられまた本発明によって基部に固着され通常の工具によって緩める事のできない製品を成すネジ／ボルト・ナット構造を提供するにある。これは窃盗に対する非常にすぐれた防護を成すものである。
【０００６】
本発明は、外側締付部分と内側部分とを含み、ここに前記内側部分の外側面は前記外側締付部分の対応の軸方向内側開口に当接するように成されたナット構造において、前記外側締付部分と前記内側部分のそれぞれの内側面および外側面が相互にユニットとして連結され、この際に一方の部分が他方の部分に対して一定限度以上のトルクモーメントを受ける時に相互に離脱されるように構成されることを特徴とする。
【０００７】
本発明によるナット構造の好ましい実施態様においては、前記内側面と外側面との間に例えば接着剤／硬化性物質または金属連結物質などの接触面形成連結手段が配置され、前記連結手段は前記外側締付部分に対してトルクモーメントを加えることによって分解または破断されて外側部分が内側部分から離脱されるように成される。前記内側部分がその一端または両端にフランジまたはカラーなどの突出ストッパ部材を含み、これらの突出部材が外側部分の一端または両端において対応の内側円錐形断面に当接するように成される。
【０００８】
本発明のナット構造の他の好ましい実施態様においては、内側部分の外側面は軸方向において円錐形であり、また外側部分の内側面は軸方向において対応の円錐形を成し内側部分を受ける。
【０００９】
本発明のナット構造の好ましい第２実施態様においては、内側部分は第１円錐形断面、第２中間断面および第３ネジ山断面を有する外側面を含み、ここに前記ネジ山断面は軸方向において逆時計方向ネジ山を有し、また前記外側部分の内側面は内側部分を受けるために軸方向において対応の形状を有する。
【００１０】
本発明のナット構造の第３実施態様においては、前記内側部分は第１平坦断面、第２中間凹形平坦断面および第３ネジ山断面を備えた外側面を含み、ここに前記ネジ山断面は軸方向において逆時計方向ネジ山を有し、ここに前記外側部分の内側面は内側部分を受けるために軸方向において対応の形状を有する。
【００１１】
本発明のナット構造の第４実施態様においては、前記内側部分はその第１端部において外側面に複数のグルーブを備えた円形断面を含み、ここに前記グルーブは外側部分の複数の対応のカムを受けるように構成され、またここに前記のカムは所定限度以上のトルクモーメントを加えた際に破断するように構成される。
【００１２】
また、前記内側部分の他端は縁部断面を含み、この縁部が折り込まれる。さらに前記内側部分の他端に対して円形ケーシングが配置され、ここに前記ケーシングは外側締め付け部分を包囲する。
【００１３】
さらにネジ／ボルト構造の他の実施態様においては、前記内側面と外側面との間に例えば接着剤／硬化性物質または金属連結物質などの接触面形成連結手段が配置され、前記連結手段は前記外側締付部分に対してトルクモーメントを加えることによって分解または破断されて外側部分が内側部分から離脱されるように成される。さらに前記内側締付部分がその一端または両端にフランジまたはカラーなどの突出ストッパ部材を含み、これらの突出部材が外側部分の一端または両端において対応の内側円錐形断面に当接するように成される。
【００１４】
本発明のナット構造の好ましい第２実施態様においては、前記内側締付部分の外側面は軸方向において円錐形を成し、また前記外側部分の内側面は軸方向において対応の円錐形を成して前記内側部分を受ける。
【００１５】
本発明のネジ／ボルト構造の第３実施態様においては、内側締付部分は第１円錐形断面、第２中間平坦断面および第３ネジ山断面を有する外側面を含み、ここに前記ネジ山断面は軸方向において逆時計方向ネジ山を有し、またここに前記外側部分の内側面は内側部分を受けるために軸方向において対応の形状を有する。
【００１６】
本発明のナット構造の第４実施態様においては、前記内側部分は第１平坦断面、第２中間凹形平坦断面および第３ネジ山断面を備えた外側面を含み、ここに前記ネジ山断面は軸方向において逆時計方向ネジ山を有し、またここに前記外側部分の内側面は内側部分を受けるために軸方向において対応の形状を有する。
【００１７】
さらに本発明の第５実施態様においては、前記内側締付部分はその第１端部において、外側面に複数のグルーブを備えた断面を含み、ここにこれらのグルーブは前記外側部分の対応の複数のカムを受けるように構成され、またここに前記カムは一定限度以上のトルクモーメントを受けた時に破断する。
【００１８】
前記内側部分の他端は縁部断面を含み、この縁部は下方に折り曲げられる。さらに前記内側部分はその第１端部において、工具を受けるためのグルーブまたは開口を備えることができる。
【００１９】
さらに、本発明のナット構造および／またはネジ／ボルト構造の内側部分は軸方向に内側ネジ山開口を備え、または前記内側部分はネジまたはボルトに連結され、固着されまたは一体化されることができる。
【００２０】
前述のように、本発明はナット構造において、外側締付部分と内側部分のそれぞれの内側面と外側面が固定ユニットとして相互に連結され、ここに一方の部分、すなわち外側締付部分が他方の部分に対する一定限度以上のトルクモーメントを受ける時にこれらの部分が相互に離脱されるように成されたナット構造を提供する。これに対応して、ネジ／ボルト構造が外側ネジ／ボルト部分と内側締付部分とを成し、ここに内側面と外側面がそれぞれ固定ユニットとして相互に連結され、ここに一方の部分、すなわち内側締付部分が他方の部分に対して一定限度以上のトルクモーメントを受ける時にこれらの部分が相互に緩むように構成される。
【００２１】
本発明によるナット構造１０の好ましい実施態様は図１に図示のように、外側ナット部分２０と内側ナット部分３０とを含む。外側ナット部分２０は原則的にその外周面、好ましくは６または８にそって小平面または面２２によって嵌合されるが、この外側ナット部分２０は他の幾何学的実施形状を備えて工具のグリップを提供して外側ナット２０を締付け、締付ナット構造と呼ばれるナット構造全体がボルトまたは類似物の上に固定的にネジ込まれるようにすることができる。
【００２２】
さらに、外側ナット部分２０は軸方向の長手方円形開口２６を含む。この開口の一方または両方の末端において、円錐形断面２４ａ，２４ｂが形成されている。
【００２３】
内側ナット部分３０は、通常のナットのネジ山断面に対応して、軸方向の長手方円形開口の中に内側ネジ山断面３２を備える。また内側ナット部分３０はその一端または両端の外側に、フランジまたはカラーなどのストッパ部材３６ａ，３６ｂを備える。図４と図５に図示のように外側ナット部分と連結される前に、このフランジまたはカラー３６ａ，３６ｂはその一端において拡開されている。
【００２４】
最初の使用段階において外側ナット部分と内側ナット部分を連結するため、連結手段４０が使用され、この手段は内側ナット部分３０の外側面３４と外側ナット部分３０の内側面２６との間に配置される。この手段４０は接着剤などの接触面形成連結手段から成る。またこの手段４０は、乾燥状態において一定の破断強さを示す例えば硬化プラスチック、硬化フォーム、セメントまたは類似物などの硬化性物質から成る。さらに金属連結部材を前述のように、またはストッパ部材３６ａ，３６ｂと円錐形断面２４ａ，２４ｂとの間に配置する事もできる。この金属連結部材は例えばロウ付け断面または溶接断面（図示されていない）とすることができる。
【００２５】
連結手段４０は、例えば所定の力、すなわちトルクモーメントを加えた時に破断しまたは破裂するような所定の破断強さを有する連結部分から成る。所定の破断力は通常は例えばボルトまたは類似物に対してナット構造物を締付ることによって生じるモーメントとして、すなわち外側ナット部分２０に対して加えられる捻りモーメントとして加えられる。連結手段４０が崩壊した後に、外側ナット部分２０は内側ナット部分３０の回りを自由に回転することができる。そこでナット構造１０は第２使用状態にあり、この場合には特殊工具を使用しなければネジ戻してゆるめることは不可能となる。
【００２６】
前述のように、外側ナット部分２０と内側ナット部分３０が第１使用状態において連結される。これは例えば、フランジ３６ａまたは３６ｂが図４に図示のように連結前に拡開された状態において実施される。連結手段４０は、どのような手段が使用されるかに従って２つのナット部分２０，３０が連結される以前またはその後に施用される。フランジが折り畳まれ、部分２０，３０は１つのユニットとして機能し、このユニットが１つの品目を固定するため、ボルトまたは類似物に対して固定的にネジ込まれることができる。
【００２７】
このナット構造がネジ込まれる際に、モーメントが徐々に増大するので、連結手段４０が破断しまたは崩壊する。その後、外側ナット部分２０が内側ナット部材３０の回りに自由に回転するので、このナット構造１０は第２使用状態にある。第２使用状態において、ナット構造は特殊工具を使用しなければ、緩めることができない。従って、盗難防止のために固定された品目を緩めることはきわめて困難となる。
【００２８】
もちろん、連結手段４０の破断力は品目が適正に固着される程度に大でなければならないが、同時にナット構造が適正に固着された後に通常の工具をもって破断することができないほどに連結手段４０の破断力が高くあってはならない。
【００２９】
外側ナット部分２０は硬化された実施態様とすることができる。これは外側ナット部分がナットカッターなどの工具によって破断または破壊されないようにするためである。陥没した施設面におけるナット構造の取付けに際しては、非硬化実施態様を使用することができる。
【００３０】
従って外側ナット部分と内側ナット部分とから成るナット構造において、ナット部分の相互連結手段が使用される場合、すなわち第１使用状態と、外側ナット部分に対してモーメントを加えることによって前記の相互連結手段が破断しまたは崩壊して、外側ナット部分が内側ナット部分の回りに自由に回転することのできる場合、すなわち第２使用状態とが存在する。
【００３１】
本発明のナット構造の他の実施態様においては、内側部分３０ａの外側面３４ａが軸方向において円錐形を成し、また外側部分２０ａの内側面２６ａが内側部分３０ａを受けるために、これに対応して軸方向において円錐形を成す。内側部分と外側部分は円錐形連結面において相互に圧着される。与えられたモーメントにおいてこの連結が緩められる時、外側部分２０ａと内側部分３０ａの間の連結が破断される。この実施態様においては、モーメントが加えられた後に外側締付部分２０ａが内側部分３０ａから完全に除去され、または外側部分２０ａが内側部分３０ａ回りに回転することができるように内側部分の他方の末端５９にフランジまたは縁部を配置することができる。この実施例においては、外側締付部分は円錐形内側部分から「落下」することができなければならない。
【００３２】
ナット構造１０の他の実施態様においては、本発明のナット構造の他の実施態様において、内側部分３０ｂは円錐形の第１断面４４ａと、第２中間断面４４ｂと、第３ネジ山断面４４ｃとを備えた外側面とを有し、この際に、ネジ山断面４４ｃは軸方向において逆時計方向ネジ山を有し、また両側部分２０ｂの内側面２６ｂは内側部分３０ｂを受けるために軸方向において対応の形状を有する。例えば中間断面４４ｂが円錐形断面４４ａの最少直径と同一の直径を有することができる。ネジ山４４ｃは円錐形断面４４ａの直径まで延在することができる。与えられたモーメントにおいて円錐形連結面とネジ山連結が破断する。
【００３３】
本発明のナット構造１０の第３実施態様において、内側部分３０ｃは外側面５４ａを有し、この外側面５４ａは第１断面と、小直径の中間の凹形第２断面５４ｂと、第３ネジ山断面５４ｃとを有し、ここに前記ネジ山断面は軸方向において逆時計方向ネジ山を有し、また外側部分２０ｃの内側面２６ｃは内側部分３０ｃを受けるためにこれに対応して軸方向において形成されている。
【００３４】
本発明のナット構造の他の第４実施態様においては、その第１末端５８における内側部分３０ｄは円形断面を有し、この断面は外側面３４ｄ上に複数のグルーブ４６または凹部を備え、またこれらのグルーブは外側部分２０ｄの中に備えられた複数の対応のカム４８、ノブまたは類似物を受けるように構成され、またこれらのカム４８は所定限界以上のモーメントを加える事によって破断する。これらのグルーブ／カムは製造工程中において取り付けられ、この際に両方の部分が相互に嵌着され、またはカムが外側部分２０ｄの中に押し込まれ、この外側部分はこれによって内側部分３０ｄの中に転送される。前述のように、カム４８、ノブまたは類似物は前記のモーメントとを加える際に破断する。
【００３５】
さらに内側部分の他端は縁断面を含み、これを折り返すことができる。そのほか、円錐形ケーシング５６を内側部分の他端に対して嵌合させることができ、この場合、ケーシング５６は外側締付部分２０−２０ｄを包囲する。
【００３６】
前記の実施態様の組合せも実施することができる。例えば、前記の他の実施態様のいずれかと共に接着剤または硬化性連結面を使用することができる。他の実施態様においてはグルーブ／カムを使用することができ、グルーブ／カム、接着剤−硬化接続面などと共に円錐形接続面を使用することができる。原則として前記の全ての実施態様およびその他本発明の主旨の範囲内におけるその他の実施態様を、ナット構造およびネジ／ボルト構造のいずれにおいても組み合わせることができる。
【００３７】
本発明の他の実施態様においては、付図１２に示すようなネジ／ボルト構造１０ａにおいて内側面と外側面との間に連結手段４０が配置され、この手段は例えば接着剤／硬化性物質または金属接続などの接触面形成連結をなし、この連結面が内側締付部分３０ｆに対してトルクモーメントを加える事によって崩壊または破断されるので、内側部分が外側部分２０ｆから離脱させられる。さらに内側締付部分３０ｆは第１末端においてフランジまたはカラーなどのナット構造１０の部材に対応する突出したストッパー部材を含み、このストッパー部材は外側部分２０ｆの中に配置された対応の内側円錐形面の中に嵌合するようになされれる。
【００３８】
ネジ／ボルト構造１０ａの外側部分２０ｆは第１テーパ断面または円錐形断面６４を含み、この断面からネジ山断面６２が延在し、またはネジ山断面は外側部分の他端にのみ存在することができる。
【００３９】
ネジ／ボルト構造１０ａの他の実施態様においては、内側締付部分３０ｆの外側面は軸方向に円錐形を成し、また外側部分２０ｆの内側面は内側部分３０ｆを受けるために軸方向において対応の円錐形を有する。
【００４０】
ネジ／ボルト構造１０ａの第３実施態様においては、内側締付部分３０ｆはナット構造として、円錐形の第１断面を有する外側面と、第２中間断面と、第３ネジ山断面とを有し、この場合にネジ山断面は軸方向において逆時計方向ネジ山を有し、またこの場合に外側部分の内側面は内側部分を受けるために軸方向に対応の形状を有する。
【００４１】
ネジ／ボルト構造１０ａの第４実施態様においては、内側締付部分３０ｆは第１断面と、例えば第１断面より小さい直径を有する第２中間凹形断面と、第３ネジ山断面とを有し、この場合、ネジ山断面は軸方向において逆時計方向ネジ山を有し、またこの場合、外側部分２０ｆの内側面は内側部分を受けるために軸方向において対応の形状を有する。
【００４２】
さらに、ネジ／ボルト構造１０ａの第５実施態様においては、内側締付部分３０ｆはその第１端部において、外側面上に複数のグルーブを備えた断面を有し、この場合、これらのグルーブは外側部分の対応の複数カムを受けるように配置され、またこの場合にこれらのカムは一定限度以上のトルクモーメントを加えることによって破断する。
【００４３】
内側締付部分３０ｆの他端は折り込まれる縁部断面を有することができる。さらに内側締付部分３０ｆの第１端部は例えばアンブラコ・キー、ネジ・ドライバなどの工具を受けるように成されたグルーブまたは開口６６を含むことができる。ネジ／ボルト構造１０ａの内側面と外側面の形状は原則的にナット構造１０と同一形状とすることができ、唯一の相違点はネジ／ボルト構造に関連して言えば、構造をベースに固着するために締付部分として作用するのが内側締付部分であることである。
【図面の簡単な説明】
【図１】
本発明によるナット構造の好ましい実施態様の斜視図。
【図２】
図１による本発明の好ましい構造の断面図。
【図３】
組立て前の本発明のナット構造のそれぞれ外側ナット部分と内側ナット部分を示す断面図。
【図４】
組立て前の本発明のナット構造のそれぞれ外側ナット部分と内側ナット部分を示す断面図。
【図５】
組立て中の外側ナット部分と内側ナット部分の断面図。
【図６】
本発明によるナット構造の他の好ましい実施態様を示す図。
【図７】
本発明によるナット構造の他の好ましい実施態様を示す図。
【図８】
本発明によるナット構造の他の好ましい実施態様を示す図。
【図９】
本発明によるナット構造の他の好ましい実施態様を示す図。
【図１０】
本発明によるナット構造の他の好ましい実施態様を示す図。
【図１１】
本発明によるナット構造の他の好ましい実施態様を示す図。
【図１２】
本発明の１つの実施態様によるネジ／ボルト構造のそれぞれ側面図、断面図および斜視図。
【符号の説明】
２０  外側締付部分
２６  軸方向開口
３０  内側部分
３４  内側部分の外側面
３６ａ，３６ｂ  ストッパ部材
４０  接触面形成連結手段
４４ａ  円錐形断面
４４ｂ  中間断面
４４ｃ  ネジ山断面
４６  グルーブ
４８  カム
５６  円形ケーシング
６０  ネジまたはボルト
６６  グルーブまたは開口
【国際公開パンフレット】
2004501328.tif 000003
2004501328.tif 000004
2004501328.tif 000005
2004501328.tif 000006
2004501328.tif 000007
2004501328.tif 000008
2004501328.tif 000009
2004501328.tif 000010
2004501328.tif 000011
2004501328.tif 000012
2004501328.tif 000013
2004501328.tif 000014
2004501328.tif 000015
2004501328.tif 000016
2004501328.tif 000017
2004501328.tif 000018
2004501328.tif 000019
2004501328.tif 000020
2004501328.tif 000021
2004501328.tif 000022
2004501328.tif 000023
2004501328.tif 000024
2004501328.tif 000025
2004501328.tif 000026
2004501328.tif 000027
2004501328.tif 000028
【国際調査報告】
2004501328.tif 000029
2004501328.tif 000030
2004501328.tif 000031